(57)【要約】【課題】上段のトレーの収容部が下段のトレーの収容部に嵌まり込んで下段のトレーの収容部に収容した電子部品に当たることを防止できる、かつトレーの板厚を薄くしても下段のトレーが上段のトレーを支えることができるようにする。【解決手段】トレー２の上板２ａに凹み形成した各収容部３内にボタン形電池１をそれぞれ収容した状態で上下複数段に積み重ねて使用する。収容部３は、大半の個数を占める第１収容部１０と、トレー２の上板２ａにおいて分散状に配されて上段のトレー２を受け止める第２収容部１１とに分かれている。第２収容部１１は、底板３ａの周縁から垂直に立ち上がる周側板１１ａと、周側板１１ａの上端から外向きに張り出して上板２ａまで立ち上がる段差板１１ｂとを含む。トレー２を積み重ねた際には、上段のトレー２の周縁部が下段のトレー２の周縁部で支持され、上段のトレー２の第２収容部１１の下端部が、下段のトレー２の第２収容部１１の段差板１１ｂでそれぞれ受け止め支持される。【選択図】図１
2007161264.tif 000002
【特許請求の範囲】
【請求項１】
複数の収容部を上板に凹み形成して、前記各収容部内に電子部品をそれぞれ収容した状態で上下複数段に積み重ねて使用する電子部品収容用トレーにおいて、
前記収容部は、大半の個数を占める第１収容部と、前記上板において分散状に配されて上段の前記トレーを受け止める第２収容部とに分かれており、
前記第１収容部は、前記電子部品が載置される底板と、この底板の周縁から前記上板まで立ち上がる周側板とを含み、
前記第２収容部は、前記電子部品が載置される底板と、この底板の周縁から垂直に立ち上がる周側板と、この周側板の上端から外向きに張り出して前記上板まで立ち上がる段差板とを含み、
前記トレーを積み重ねた際には、上段の前記トレーの周縁部が下段の前記トレーの周縁部で支持されるとともに、上段の前記トレーの前記各第２収容部の下端部が、下段の前記トレーの前記各第２収容部の前記段差板でそれぞれ受け止め支持されることを特徴とする電子部品収容用トレー。
【請求項２】
前記周縁部は、前記上板の上側へ膨出した枠部と、前記上板の下側へ垂設した周側板とを含み、
前記周側板の上下中間には、係止部が内向きに膨出形成してあり、
前記トレーを積み重ねた際には、上段の前記トレーの前記周側板の内側に下段の前記トレーの前記枠部が入り込んで、下段の前記トレーの前記枠部に上段の前記トレーの前記係止部の下板が載ることで、上段の前記トレーの前記周縁部が下段の前記トレーの前記周縁部で支持される請求項１記載の電子部品収容用トレー。
【請求項３】
前記係止部には、Ｖ字状に凹んだ凹部が少なくとも一箇所形成されており、
前記凹部は、前記枠部の上端から前記係止部の前記下板にかけて形成されている請求項２記載の電子部品収容用トレー。
【請求項４】
前記各収容部の底板の中央に、下方へ向けて膨出する抑え部が形成されている請求項１又は２又は３記載の電子部品収容用トレー。
【請求項５】
前記電子部品が、ボタン形電池である請求項１又は２又は３又は４記載の電子部品収容用トレー。
【発明の詳細な説明】
【技術分野】
【０００１】
本発明は、ボタン形電池などの電子部品を収容するための電子部品収容用トレーに関する。
【背景技術】
【０００２】
特許文献１〜３には、ボタン形電池を縦横に整列させて収容するトレーが開示されている。つまり、前記トレーの上板には複数の収容部が凹み形成されており、各収容部内に電池をそれぞれ収容した状態で、トレーを上下複数段に積み重ねるようになっている。このトレーを重ねた状態で搬送や保管などが行われる。
【０００３】
【特許文献１】特開２００２−８７４９０号公報（図１・４）
【特許文献２】実開平６−１２３９２号公報（図１・５）
【特許文献３】実開昭６２−９３０６２号公報（第１・３図）
【特許文献４】特開２００１−１２１７号公報（図１・３）
【特許文献５】特開平１０−３２９８８６号公報（図１・３）
【発明の開示】
【発明が解決しようとする課題】
【０００４】
特許文献１では、上段のトレーの収容部や補強用溝の下面が下段のトレーの上板に載って、上段のトレーが下段のトレーに支持される。ところが、特許文献１では、複数種類のトレーを作成する必要があり、その分だけ金型の種類が増えるうえに、トレーの種類が多い分だけ管理が煩わしくなる。
【０００５】
特許文献２では、トレーを上下方向に重ねたときに、上段のトレーの収容部が下段のトレーの収容部に嵌まり込んで下段のトレーに収容した電池に当たってしまう。このため、下段のトレーの電池に上段側のトレーの重量が加わってしまい、最悪の場合には電池の破損などを招くおそれがある。また、電池の厚みによってトレーを積み重ねたときの全体の上下高さ寸法が変動するために、前記積み重ねたトレーを梱包する段ボール箱の上下高さ寸法などを電池の厚みで変える必要があり、段ボール箱などの汎用性が得られないことになる。
【０００６】
一方、特許文献５に示すごとく、上段のトレーの周縁部を下段のトレーの周縁部で支持することも考えられるが、トレーの製造コストや重量軽減のためにトレーの板厚を薄くしたときには電池の重量でトレーが撓んでしまう。すると、上段のトレーの収容部が下段のトレーの収容部に嵌まり込んで、特許文献２と同様に下段のトレーに収容した電池に当たってしまう。
【０００７】
この対策としては、特許文献３や特許文献４に示すごとく、上段のトレーの収容部の下端を下段のトレーの収容部でそれぞれ受け止め支持することが考えられるが、下段のトレーの収容部のみで上段のトレーを受け止めたのでは、収容部の周側板の板厚を薄くすると、収容部の周側板の強度が小さくなって、下段のトレーが上段のトレーを支えきれなくなるところに問題がある。
【０００８】
また、特許文献３では、収容部の周側板の一部の傾斜を急峻に形成して、上段のトレーの収容部の下端が下段のトレーの収容部の上端に載るように設定してあり、搬送時の振動などでトレーが横方向にずれ動くと、上段のトレーの収容部の下端が下段のトレーの収容部の上端から外れるおそれがある。この場合も、下段のトレーが上段のトレーを支えきれなくなる。
【０００９】
特許文献４では、上段のトレーを支えるための縦板の高さ寸法分だけトレー自体の厚さ寸法が大きくなっており、トレーを積み重ねたときには、その上下高さ寸法が大きくなって嵩張ってしまう。
【００１０】
そこで本発明の目的は、上段のトレーの収容部が下段のトレーの収容部に嵌まり込んで下段のトレーの収容部に収容した電子部品に当たることを防止できるうえ、トレー自体の厚さ寸法やトレーの板厚寸法を小さくしても下段のトレーが上段のトレーを支えることができる電子部品収容用トレーを提供することにある。
【課題を解決するための手段】
【００１１】
本発明が対象とする電子部品収容用トレー２は、図２に示すごとく、複数の収容部３を上板２ａに凹み形成してあって、各収容部３内に電子部品１をそれぞれ収容した状態で上下複数段に積み重ねて使用する。ここでの電子部品１には、ボタン形電池やコンデンサーなどが該当する。
【００１２】
本発明では、図１に示すごとく、収容部３が、大半の個数を占める第１収容部１０と、トレー２の上板２ａにおいて分散状に配されて上段のトレー２を受け止める第２収容部１１とに分かれている。第１収容部１０は、図２に示すごとく、電子部品１が載置される底板３ａと、この底板３ａの周縁から上板２ａまで立ち上がる周側板１０ａとを含む。第２収容部１１は、電子部品１が載置される底板３ａと、この底板３ａの周縁から垂直に立ち上がる周側板１１ａと、この周側板１１ａの上端から外向きに張り出して上板２ａまで立ち上がる段差板１１ｂとを含む。トレー２を積み重ねた際には、図４に示すごとく、上段のトレー２の周縁部が下段のトレー２の周縁部で支持されるとともに、上段のトレー２の各第２収容部１１の下端部が、下段のトレー２の各第２収容部１１の段差板１１ｂでそれぞれ受け止め支持される。
【００１３】
各第２収容部１１の段差板１１ｂは、図２に示すごとく周側板１１ａの上端から水平外向きに張り出したのちに上板２ａまで垂直に立ち上がってもよく、周側板１１ａの上端から斜めあるいは円弧状に立ち上がって上板２ａに繋がるように立ち上がってもよい。第１収容部１０の周側板１０ａは、垂直に立ち上がってもよく、テーパー状に立ち上がってもよい。
【００１４】
詳しくは、トレー２の周縁部は、図２に示すごとく、トレー２の上板２ａの上側へ膨出した枠部５と、上板２ａの下側へ垂設した周側板２ｂとを含む。周側板２ｂの上下中間には、係止部７が内向きに膨出形成してある。トレー２を積み重ねた際には、上段のトレー２の周側板２ｂの内側に下段のトレー２の枠部５が入り込んで、下段のトレー２の枠部５に上段のトレー２の係止部７の下板７ｂが載ることで、上段のトレー２の周縁部が下段のトレー２の周縁部で支持される。
【００１５】
より詳しく説明すると、係止部７には、図３に示すごとく、Ｖ字状に凹んだ凹部９が少なくとも一箇所形成されており、凹部９は、枠部５の上端から係止部７の下板７ｂにかけて形成されている。
【００１６】
各収容部３の底板３ａの中央に、図２に示すごとく、下方へ向けて膨出する抑え部１２が形成されているものとすることができる。
【００１７】
電子部品１は、ボタン形電池であるものとすることができる。
【発明の効果】
【００１８】
本発明によれば、上段のトレー２の周縁部が下段のトレー２の周縁部で支持されたうえで、電子部品１を収容した上段側のトレー２の重量が、上段側のトレー２の上板２ａに分散状に配された第２収容部１１を介して、下段側のトレー２の第２収容部１１で受け止められる。これにより、上段側のトレー２は、周縁部および上板２ａの全体にわたって均等に支持されて、トレー６の撓みが抑えられる。
【００１９】
したがって、上段のトレー２の収容部３が下段のトレー２の収容部３に過度に嵌まり込んで下段のトレー２の収容部３に収容した電子部品１に当たることを確実に防止できる。しかも、トレー２の板厚を薄くしても下段のトレー２が、上段のトレー２を確実に支えることができる。また、第２収容部１１の周側板１１ａが垂直に立ち上がっているので、その周側板１１ａが傾斜している場合よりも撓み難くなって、上段側のトレー２の重量を周側板１１ａでしっかりと受け止めることができる。
【００２０】
また、上段のトレー２が下段のトレー２の収容部３の蓋として機能して、下段のトレー２の収容部３内の電子部品１の飛び出しを防止するが、下段のトレー２の第１収容部１０の上端開口を確実に塞ぐうえでは、上段のトレー２の第１収容部１０を下段のトレー２の第１収容部１０内にある程度嵌まり込ませることが好ましい。第２収容部１１の段差板１１ｂがトレー２の上板２ａよりも低い分だけ、上段のトレー２の高さが低くなって上段のトレー２の第１収容部１０の下端部が下段のトレー２の第１収容部１０内に嵌まり込む。したがって、下段のトレー２の第１収容部１０の上端開口を確実に塞ぐことができるとともに、第１収容部１０と第２収容部１１との電池の高さ位置を同一にできる。
【００２１】
上段のトレー２の周側板２ｂの内側に下段のトレー２の枠部５が入り込んで、下段のトレー２の枠部５に上段のトレー２の係止部７の下板７ｂが載ると、上段のトレー２の周縁部を下段のトレー２の周縁部で支持した状態を確実に保持できる。したがって、下段のトレー２の各第２収容部１１の段差板１１ｂが、上段のトレー２の各第２収容部１１の下端部を確実に受け止め、トレー２の撓みを確実に抑えることができる。
【００２２】
係止部７に凹部９を形成すると、係止部７の形成によって強度が低下したトレー２の周縁部を凹部９で補強できて、トレー２の撓みをより確実に抑えることができる。
【００２３】
各収容部３の底板３ａの中央に抑え部１２を形成してあると、トレー２を積み重ねたときに、上段のトレー２の抑え部１２が下段のトレー２の収容部３に収容された電子部品１の上下の回転を阻止して、電子部品１がひっくり返った状態のままトレー２から取り出されて使用されることを確実に防止できる。
【発明を実施するための最良の形態】
【００２４】
図面は、本発明に係る電子部品収容用トレーの実施例を示しており、トレーに収容される電子部品としてはボタン形電池を例示した。ボタン形電池１は、図２に示すごとく、全体が扁平な円盤形状に形成されていて、外径寸法が4.８〜6.８mm、厚さ寸法が1.２５〜2.７mmである。
【００２５】
ボタン形電池１は、図１に示すごとくトレー２の上板２ａにおいて縦横に並べて形成された複数個の収容部３内に、それぞれ１個ずつ収容される。各収容部３は、図２に示すごとく、トレー２の上板２ａにおいて中空の有底円筒状に凹み形成してある。各ボタン形電池１は、収容部３内では正極および負極が上下に同一方向に向くように収容される。各収容部３の深さ寸法は、ボタン形電池１の厚さ寸法よりも大きくなっており、ボタン形電池１の全体が、収容部３内に収まるようになっている。
【００２６】
トレー２は、厚さ寸法が0.５mmのポリスチレン樹脂（ＰＳ）などで真空成形する。トレー２は、図１に示すごとく平面視で長方形に形成されており、図４に示すごとく上下複数段に積み重ねて使用できる。トレー２は、図２および図３に示すごとく、この上板２ａの周縁に沿って上側へ膨出する枠部５と、この枠部５の外側の縁から上板２ａの下側へ外拡がりテーパー状に垂設した周側板２ｂと、この周側板２ｂの下端に設けた鍔部６とを有する。
【００２７】
トレー２の周側板２ｂの上下中間には、複数の係止部７が内向きに膨出形成してある。各係止部７は、アンダーカット処理によってそれぞれ成形されており、傾斜板７ａの下端に下板７ｂが水平状に連続している。トレー２を積み重ねたときに、図４に示すごとく、上段のトレー２の周側板２ｂの内側に下段のトレー２の枠部５が入り込んで、下段のトレー２の枠部５に上段のトレー２の係止部７が載る。
【００２８】
係止部７は、トレー２の長方形の周縁の四隅近傍および前記周縁の二つの長辺の中央にそれぞれ配されており、図３に示すごとく、各係止部７には、Ｖ字状に凹んだ凹部９が複数形成されている。各凹部９は、係止部７の形成によって強度が低下したトレー２の周縁部を補強するためのものであり、トレー２の枠部５の上端から係止部７の下板７ｂにかけて形成される。図１に示すごとく、トレー２の周縁の四隅近傍の各係止部７には、二つの凹部９がそれぞれ形成されており、前記長辺の中央の各係止部７には、四つの凹部９がそれぞれ形成されている。
【００２９】
収容部３は、大半の個数を占める第１収容部１０と、トレー２の上板２ａにおいて分散状に配されて上段のトレー２を受け止める第２収容部１１とに分かれている。第２収容部１１の個数は、第１収容部１０に比べてかなり少なく、図１では、２００個の収容部３のうちの１２個のみが第２収容部１１に設定されている。
【００３０】
第１収容部１０は、図２に示すごとく、ボタン形電池１が載置される底板３ａと、この底板３ａの周縁からトレー２の上板２ａまで上広がりテーパー状に立ち上がる周側板１０ａとからなる。第２収容部１１は、ボタン形電池１が載置される底板３ａと、この底板３ａの周縁から垂直に立ち上がる周側板１１ａと、この周側板１１ａの上端から外向きに張り出して上板２ａまで立ち上がる段差板１１ｂとからなる。
【００３１】
各収容部３の底板３ａの中央には、下方へ向けて膨出する抑え部１２が形成されており、トレー２を積み重ねたときには、図４に示すごとく、上段のトレー２の抑え部１２が下段のトレー２の収容部３内に入り込む。この抑え部１２によって下段のトレー２の収容部３に収容されたボタン形電池１の上下の回転が阻止される。抑え部１２の下面は、鍔部６の下面とほぼ同一高さに設定されている。
【００３２】
トレー２を上下に積み重ねたときには、先ず上段のトレー２の周側板２ｂの内側に下段のトレー２の枠部５が入り込んで、下段のトレー２の枠部５に上段のトレー２の係止部７が載り、上段のトレー２の周縁部が下段のトレー２の周縁部で支持される。
【００３３】
次いで、上段のトレー２の各第２収容部１１の下端の周縁が、下段のトレー２の各第２収容部１１の段差板１１ｂの内側周縁に載って受け止められる（図４の状態）。前述のごとく、第２収容部１１は、トレー２の上板２ａにおいて分散状に配されているので、上段のトレー２の全体を下段のトレー２の各第２収容部１１で受け止めて支えることになり、上段のトレー２が撓むことが確実に低減される。
【００３４】
これによって、上段のトレー２の各収容部３が、下段のトレー２の各収容部３に深く入り込んでボタン形電池１に押し当たることが防止される。最下段のトレー２の各収容部３の抑え部１２の下面が載置面１６上に当たることで、最下段のトレー２が下方に撓もうとすることが阻止される。
【００３５】
枠部５は、トレー２の縦横の四辺の全てに形成してもよく、四辺のうちの三辺のみに形成してもよい。係止部７は、トレー２の周側板２ｂの全域にわたって連続的に設けてもよい。
【００３６】
以上の実施例においては、電子部品としてボタン形電池を例に説明したが、この電子部品は扁平円形のコンデンサーなどであってもよい。
【図面の簡単な説明】
【００３７】
【図１】本発明に係る電子部品収容用トレーの平面図
【図２】図１のＡ−Ａ線断面図
【図３】係止部を示す斜視図
【図４】トレーを積み重ねた状態を示す縦断側面図
【符号の説明】
【００３８】
１  ボタン形電池
２  トレー
２ａ  上板
２ｂ  周側板
３  収容部
３ａ  底板
５  枠部
７  係止部
７ａ  傾斜板
７ｂ  下板
９  凹部
１０  第１収容部
１０ａ  周側板
１１  第２収容部
１１ａ  周側板
１１ｂ  段差板
１２  抑え部
【図１】
2007161264.tif 000003
【図２】
2007161264.tif 000004
【図３】
2007161264.tif 000005
【図４】
2007161264.tif 000006